(57)【要約】【目的】  シャープペンシルやボールペン等の複数の筆記体を搭載した複式筆記具であって、先軸または中軸に対して後軸を着脱自在と成して、後軸を外した時に、後端から芯の補充やボールペン筆記体の交換を容易に可能とする。【構成】  先軸と中軸の先方を互いに回転不能且つ抜け止め状態に固定し、中軸に対する円筒カムの回転によって各筆記体の先端部を先軸の先端口から選択的に出没可能とし、円筒カムの後方に後軸が着脱可能で且つ一体的に固定されてなる複式筆記具に於いて、後軸が離脱された状態で、シャープペンシル筆記体に接続する芯パイプにその後端から芯が補充可能と成され、更に、栓体の後端にボールペン筆記体の後端部が着脱可能に止着され、摺動コマが固定された受けパイプの後端からボールペン筆記体が遊嵌されると共に、受けパイプの後端に前記栓体が着脱可能に取付けられてなる。【選択図】        図１
2006076168.tif 000002
【特許請求の範囲】
【請求項１】
先軸と中軸の先方を互いに回転不能且つ抜け止め状態に固定し、中軸に一体化したガイド部の複数の案内溝に、それぞれ筆記体を中軸と摺動コマとの間にリターンスプリングを附勢して前後動自在に嵌装し、軸方向に変位するカム斜面を前端部に円周状に設けた円筒カムをガイド部または中軸に対し回転可能に抜け止めし、各摺動コマをカム斜面に当接させることにより中軸に対する円筒カムの回転によって交互に前後動させて、各筆記体の先端部を先軸の先端口から選択的に出没可能とし、円筒カムの後方に後軸が着脱可能で且つ一体的に固定されてなる複式筆記具に於いて、
前記円筒カムの後方から後軸が離脱された状態で、当該複式筆記具の筆記体は、少なくとも一本をシャープペンシル筆記体として、円筒カムが中軸に対し前後動して、芯パイプに固定された摺動コマを前後動させて芯の繰り出しが可能と成されると共に、シャープペンシル筆記体に接続する芯パイプにその後端から芯が補充可能と成され、更に、少なくとも一本をボールペン筆記体として、栓体の後端にボールペン筆記体の後端部が着脱可能に止着され、摺動コマが固定された受けパイプの後端からボールペン筆記体が遊嵌されると共に、受けパイプの後端に前記栓体が着脱可能に取付けられてなることを特徴とする複式筆記具。
【請求項２】
後軸の後方内孔部に、後軸に対し突出した後端部を回動するで消しゴムが出没可能と成る消しゴム繰り出し装置が配設され、当該消しゴム繰り出し装置は消しゴムを挟持すると共に側面に突起を有したスライダーがその突起をスリットと螺旋溝に嵌入させて、スリットに対する螺旋溝の回動で消しゴムが前後動するように成されたことを特徴とする請求項１に記載の複式筆記具。
【請求項３】
前記円筒カムの後方に後軸が着脱可能で且つ一体的に固定され、後軸の側面にスリットを穿設して、該スリットの内側面に突起と溝が交互に形成された係合部が設けられ、後方に消しゴムを止着したスライダーが、その外周に設けられた係合突起を前記スリットの係合部溝に係脱可能に設けて、後軸に対してスライダーを前後動させて消しゴムを後軸の後端から出没可能としたことを特徴とする請求項１に記載の複式筆記具。
【発明の詳細な説明】
【技術分野】
【０００１】
本発明は、シャープペンシルやボールペン等の複数の筆記体を搭載して、その筆記先端部を先軸先端口に於いて交互に出没自在とし、且つ後軸を着脱自在と成して、後軸を外した時に後端から芯の補充やボールペン筆記体の交換が可能となる複式筆記具の提供に関する。
【背景技術】
【０００２】
【特許文献１】実公平１−２３８３３
【特許文献２】特開平９−１５６２８８（特許文献１）には、  それぞれ摺動コマを固着したシャープペンシルとボールペンを先軸に固定するガイド筒に設けた軸方向の溝にそれぞれ摺動自在に嵌装し、ガイド筒の外周部に円周状にカム斜面を備えた円筒カムをガイド筒に対して回転及び軸方向に移動可能に取付け、更にキャップ（後軸）内径部に於いてキャップと円筒カムとを回転方向で一体的にして、摺動コマに円筒カムのカム斜面を接触させてキャップすなわち円筒カムを回転したとき、摺動コマをカム斜面上で移動させるように構成するとともにシャープペンシルの芯パイプの後端を開口して摺動コマより後方へ長く突出させ、上記ガイド筒の後方部位においてシャープペンシルを嵌装した溝の後方位置に芯パイプの外径よりやや大きめの孔部を設けて芯パイプの後端をその孔部に嵌入させることにより摺動コマの前後動に際して芯パイプの後端を上記孔部内においてスライド可能とし、更にガイド筒の後端部に漏斗部を設けて該漏斗部には消しゴムを収容する大径部とその横に上記の孔部と連通する小径部を併設した複式筆記具が示されている。（特許文献２）には、  先軸と中軸の先方を互いに回転不能且つ抜け止め状態に固定し、中軸に一体化したガイド部の複数の案内溝に、それぞれ筆記体を中軸と摺動コマとの間にリターンスプリングを附勢して前後動自在に嵌装し、軸方向に変位するカム斜面を前端部に円周状に設けた円筒カムをガイド部又は中軸に対し回転可能に抜け止めし、各摺動コマをカム斜面に当接させることにより中軸に対する円筒カムの回転によって交互に前後動させて、各筆記体の先端を先軸の先端口から選択的に出没可能とした前方筆記部と、後方部で消しゴムを出没可能とした複式筆記具に於いて、  前記円筒カムの後方に後軸が着脱可能で且つ一体的に固定され、後軸の後方内孔部に、後端より消しゴムが出没可能となる消しゴム繰り出し装置が配設され、筆記体の内、少なくとも一本をシャープペンシル筆記体として、円筒カムが中軸に対し軸推移して芯の繰り出しが可能となり、更にシャープペンシル筆記体に接続する芯収容部に、その後端から芯が補充可能となるように構成された複式筆記具が示されている。
【発明の開示】
【発明が解決しようとする課題】
【０００３】
本発明は、シャープペンシルやボールペン等の複数の筆記体を搭載して、その筆記先端部を先軸先端口に於いて交互に出没自在とした複式筆記具であって、先軸または中軸に対して後軸を着脱自在と成して、後軸を外した時に、後端から芯の補充やボールペン筆記体の交換を容易に可能とし、後軸には、消しゴム繰り出し装置や筆記体、修正具、印鑑などを搭載した便利で使い勝手の良い複式筆記具を提供可能とする。
【課題を解決するための手段】
【０００４】
本発明は、上記課題を達成するために以下の構成を有する。
請求項１に記載の発明に係る複式筆記具は、先軸と中軸の先方を互いに回転不能且つ抜け止め状態に固定し、中軸に一体化したガイド部の複数の案内溝に、それぞれ筆記体を中軸と摺動コマとの間にリターンスプリングを附勢して前後動自在に嵌装し、軸方向に変位するカム斜面を前端部に円周状に設けた円筒カムをガイド部または中軸に対し回転可能に抜け止めし、各摺動コマをカム斜面に当接させることにより中軸に対する円筒カムの回転によって交互に前後動させて、各筆記体の先端部を先軸の先端口から選択的に出没可能とし、円筒カムの後方に後軸が着脱可能で且つ一体的に固定されてなる複式筆記具に於いて、前記円筒カムの後方から後軸が離脱された状態で、当該複式筆記具の筆記体は、少なくとも一本をシャープペンシル筆記体として、円筒カムが中軸に対し前後動して、芯パイプに固定された摺動コマを前後動させて芯の繰り出しが可能と成されると共に、シャープペンシル筆記体に接続する芯パイプにその後端から芯が補充可能と成され、更に、少なくとも一本をボールペン筆記体として、栓体の後端にボールペン筆記体の後端部が着脱可能に止着され、摺動コマが固定された受けパイプの後端からボールペン筆記体が遊嵌されると共に、受けパイプの後端に前記栓体が着脱可能に取付けられてなる。
【０００５】
請求項２に記載の発明に係る複式筆記具は、請求項１に記載の複式筆記具に於いて、後軸の後方内孔部に、後軸に対し突出した後端部を回動するで消しゴムが出没可能と成る消しゴム繰り出し装置が配設され、当該消しゴム繰り出し装置は消しゴムを挟持すると共に側面に突起を有したスライダーがその突起をスリットと螺旋溝に嵌入させて、スリットに対する螺旋溝の回動で消しゴムが前後動するように成されたことを特徴とする。
【０００６】
請求項３に記載の発明に係る複式筆記具は、請求項１に記載の複式筆記具に於いて、前記円筒カムの後方に後軸が着脱可能で且つ一体的に固定され、後軸の側面にスリットを穿設して、該スリットの内側面に突起と溝が交互に形成された係合部が設けられ、後方に消しゴムを止着したスライダーが、その外周に設けられた係合突起を前記スリットの係合部溝に係脱可能に設けて、後軸に対してスライダーを前後動させて消しゴムを後軸の後端から出没可能としたことを特徴とする。
【発明の効果】
【０００７】
本発明は、シャープペンシルやボールペン等の複数の筆記体を搭載して、その筆記先端部を先軸先端口に於いて交互に出没自在とした複式筆記具であって、先軸または中軸に対して後軸を着脱自在と成して、後軸を外したときに、後端から芯の補充やボールペンリフィールの交換が容易に可能となる。また後軸には、消しゴム繰り出し装置や筆記体、修正具、印鑑などを搭載した便利で使い勝手の良い複式筆記具が提供可能となる。
従来の複式筆記具は、先軸を離脱し、細いシャープペンシル筆記体を芯パイプから着脱するので操作が面倒であり、更にシャープペンシル筆記体を芯パイプから着脱する際に、芯をこぼしてしまったり、芯を折ってしまうなどの問題があった。上述した特許文献１と２はそれを解決するものであったが、ボールペン筆記体の交換に際しては、従来通り先軸を着脱して行わなければならず、操作に混乱を生ずる問題や、使用者にとってさほど便利になったという印象がなかった。
本発明は、従来の問題がすべて解決可能となるものである。
【発明を実施するための最良の形態】
【０００８】
図１乃至図６は本発明の実施形態を示している。図１は第１の実施形態である複式筆記具で、図６は第２の実施形態である複式筆記具を示している。
先ず、第１の実施形態は、ガイド筒２を一体に備えた中軸１、先軸３、円筒カム５、一対の摺動コマ６ａ，６ｂ、シャープペンシル筆記体７、ボールペン筆記体８、消しゴム繰り出し機構を備えた後軸４を主要構成要素とする。
先ず、中軸１は樹脂製で、図に示すように、略中央部から後端まで側面に開口した軸方向に長い案内溝９ａとそれと反対側の側面に同様の案内溝９ｂを有したガイド筒２が設けられている。ガイド筒２の前半部には、各案内溝９ａ，９ｂと連通して孔３１ａ，３１ｂを有した仕切り部１６を備えて前端を開口した筒部１０が設けられ、筒部１０の後端に段部３０を有して段部３０の前方外周部には膨出状の係合部１３が形成されている。
【０００９】
また、中軸１の後方側面には図３に示すように縦溝１８が先方の傾斜面６０を介して巾狭部６１が周溝１９に接続されて略Ｌの字状の窓部が穿設されている。又後述するが、円筒カム５の突起１７は縦溝１８より挿入され、突起１７が傾斜面６０を弾性的に拡開して巾狭部６１を通過して周溝１９内に入る。円筒カム５は突起１７が周溝１９の周方向の後壁に当接しながら回転して、シャープペンシル筆記体７またはボールペン筆記体８の筆記先端部が先軸先端口から交互に出没することになる。また、周溝１９はシャープペンシル筆記体７が突出するときの突起１７の位置で円筒カム５が前後動可能なように巾広溝６２が設けられ、筆記体の収納時またはボールペン筆記体８が突出するときの突起１７の位置で円筒カム５が略前後動不可となるように周溝１９の後壁６４ａと後壁６４ｃとの間に傾斜面６４ｂが接続されて巾狭溝６３が設けられている。
【００１０】
先軸３は、前方が先細状で、内孔部先端には内段部２６を有して先端口が設けられている。また、後端孔には、前記ガイド筒の筒部１０の外周部に設けられた係合部１３と迎合して筒部１０と抜け止め且つ回転止めされる係合溝１２が設けられている。尚、筒部１０と先軸３は適宜な力で着脱可能に固定される。
【００１１】
後軸４は樹脂製でやや太径の軸筒部を有しており、軸筒部の後端側面にクリップ４４が設けられている。また、先方の内孔３８の周面に円筒カム５の後方外周部に着脱可能に固定する為の縦状の溝３８ａと突条３９が形成されている。
また、円筒カム５は筒状を成し前端縁に円周状に前後に変位するカム斜面１４を有し、カム斜面１４の最前端部には切欠１５が形成されている。また、円筒カム５の側面には、前記中軸１の縦溝１８に挿入して、弾性的に周溝１９に嵌入して一定範囲（略１８０度）で回転且つ抜け止めする突起１７が形成されている。又、円筒カム５の後方外周部には縦状のリブ３７ａ、周状の溝３７が形成されて、前記後軸４の溝３８ａにリブ３７ａが、突条３９に溝３７が係合して相互が固定される。尚、前記関係に限らず相互間の溝、リブ、突条は設計都合で適宜設けられる。
【００１２】
樹脂製の一方の摺動コマ６ａは、外面に突起２０ａを有して、突起２０ａの後端面には中央部が突出してその両側が前述した円筒カム５のカム斜面１４と略同勾配のカム斜面を有している。また、芯パイプ２１ａのフランジ部２２ａに当接して、芯パイプ２１ａの後方を長く突出して嵌着する孔が設けられている。また、芯パイプ２１ａの後端孔は尾栓２３が固着され、芯が一本挿通可能な孔２４が設けられている。
他方の摺動コマ６ｂは、やはり外面に突起２０ｂを有して、突起２０ｂの後端面には中央部が突出してその両側が前述した円筒カム５のカム斜面１４と略同勾配のカム斜面を有している。また、受けパイプ２１ｂのフランジ部２２ｂに当接して、受けパイプ２１ｂの後方を適宜突出させている。その適宜突出した外周部にパイプ状の軸継ぎ手２５の前方内周部が摺動コマ６ｂを狭窄した状態で圧入等の手段で固定されている。また、軸継ぎ手２５の後端内周部に雌螺子部が形成されている。
【００１３】
シャープペンシル筆記体７は、一般的なチャック機構を内蔵し、後端にチャック機構と連結した継ぎ手２８を介して芯パイプ２１ａに接合し、芯パイプ２１ａの後方に設けたフランジ部２２ａに当接して摺動コマ６ａが嵌着され、摺動コマ６ａの後端から突出した芯パイプ２１ａの後端孔は上述した如く尾栓２３が固着されている。芯の繰り出しは、シャープペンシル筆記体７先端の段部２７が先軸３の内段部３ａに当接した状態で、上記円筒カム５と連動して摺動コマ６ａの前後動によりチャックを前後に摺動して行われる。
【００１４】
ところで、ボールペン筆記体８は、その後端外周部が栓体２６前方の係合孔２６ｃに着脱可能に嵌着される。係合孔２６ｃには必要に応じて微小凸状の係合部が設けられる。
栓体２６の前方外周には雄螺子部２６ｂが形成されており、ボールペン筆記体８は上述した軸継ぎ手２５の後端孔から挿入され、軸継ぎ手２５の後端内周部に形成された雌螺子部に雄螺子部２６ｂを螺合させることにより固定される。
また、栓体２６の後端外周は螺合を容易化するために摘み部２６ｄが設けられ、また後端にボールペン筆記体の空気置換をするための通気孔２６ａが設けられている。尚、通気手段はこれに限定されず、係合孔２６ｃの周面に溝を設けるなど種々対応可能である。
【００１５】
この状態で、中軸１に対して後軸４を一方に回転すると、リターンスプリング２９ａを押圧して摺動コマ６ａが前進して円筒カム５のカム斜面１４の最前端の切欠１５がシャープペンシル筆記体７の摺動コマ６ａの突起２０ａに係止して筆記先端部が先軸先端口から突出状態になる。中軸１に対して後軸４を他方に回転すると、摺動コマ６ａが後退してシャープペンシル筆記体７の筆記先端部が先軸先端口から没入すると共に、リターンスプリング２９ｂを押圧して摺動コマ６ｂが前進してボールペン筆記体８の筆記先端部が先軸先端口から突出する。
【００１６】
また、後軸４の内孔３８後端に段部４０が設けられ、その後方に筒状の軸部４１が後端に向かって一体に延設され、軸部４１略前端の外周部に突条の係止部４２が設けられ、その後部外周から軸方向に後端に懸けてスリット４３が形成され、一方、筒部３３の内孔周面に螺旋溝３４が形成された内筒３２が前記軸部４１の外周に被嵌された状態でその後端部３２ａの前端が後軸４の後端に当接すると共に、前記筒部３３の先端口内周に設けられた周状の係止溝３５が前記軸部４１の係止部４２に係合して、内筒３２は後軸４に回動のみ可能に係止されている。
【００１７】
また、軸４１内に先方に消しゴム５１を挟持して側面に突起４７を有したスライダー４５が嵌挿されて、突起４７が前記スリット４３を貫通して、更に螺旋溝３４に係合されて成り、前記後軸４に対して前記内筒の後端部３２ａを回動することで消しゴム５１が内筒３２の後端孔から出没可能と成る。
【００１８】
ところで、上述した実施形態に於いては中軸１とガイド筒２を一体に構成したが、別体と成すことは自由である。
また、図４及び図５は円筒カム５の突起１７を中軸１ａのガイド溝７０に沿って突起１７を中軸の周面に穿設した周溝７１に弾性的に嵌入させて、円筒カム５を中軸１ａに対して抜け止め且つ一定範囲で回転するように成した他の一例を示すもので、前記手段を上述した実施形態に設計上組み込むことは可能である。
【００１９】
次に、第２の実施形態の複式筆記具であるが、筆記具の前半部は上述したものと同じである。以下相違点に付いて説明する。
当該実施形態は、図６に示すように、円筒カム８７の後方に後軸８０が着脱可能で且つ一体的に固定され、後軸８０の側面にスリット８４を穿設して、該スリット８４の内側面に突起８５と溝８６が交互に形成された係合部が設けられ、後方に消しゴム９４を止着したスライダー９０が、その外周に設けられた係合突起９３を前記スリット８４の係合部溝８６に係脱可能に設けて、後軸８０に対してスライダー９０を前後動させて消しゴム９４を後軸８０の後端から出没可能としたことを特徴とするものである。
【００２０】
また、後軸８０は円筒カム８７の後端部８８の外周に適宜箇所で設けた溝８９に後軸の内孔周面に設けた突条８３を係脱して固定するものであるが、上述した第１の実施形態の複式筆記具と係脱部の形状が異なって示されている。しかしながら、共通に成すことは可能であり、２種類の消しゴム繰り出し機構を備えた後軸を
使い勝手の好みに応じて共通の筆記具前半部に互換性よく取付けることが可能である。
【００２１】
（作用）
先軸３または中軸１に対して後軸４を一方に回転すると、図１に示すように円筒カム５のカム斜面１４の先端に設けた切欠１５がシャープペンシル筆記体体７の摺動コマ６ａと係合してその筆記先端部を先軸先端口から突出する。このとき、円筒カム５の突起１７は中軸１の周溝１９で巾広溝６２に位置している。この状態で内筒３２の後端部３２ａをノックして後軸４、即ち円筒カム５を前後動するとその動作が摺動コマ６ａ、芯パイプ２１ａ、シャープペンシル筆記体７に伝達され、筆記先端部の段部２７が先軸３の内段部３ａに当接した状態から継ぎ手２８と共にチャックが軸推移して芯が繰り出される。
また、先軸３または中軸１に対して後軸４を他方に回転すると、シャープペンシル筆記体７が後退し、代わりにボールペン等筆記体８の筆記先端部が先軸先端口から突出する。  尚、筆記体収納時、ボールペン筆記体８の突出時に於いては、突起１７が周溝１９の巾狭溝６３に位置して、ノックして中軸１の後端に後軸４の段部４０ａが当接した状態で突起１７が周溝１９の前壁６５に当接しない寸法に設けることで突起等が破壊するのを防止することが可能となる。
【００２２】
第１の実施形態の場合には、後軸４に対して内筒３２の後端部３２ａを回動すると、スライダー４５が前後動して内筒３２の後端孔から消しゴム５１が出没する。
また、第２の実施形態の場合には、後軸８０に対しスリット８４の係合部と係合するスライダー９０の係合突起９３と連動する操作釦９２を押圧しながら前後にスライドすることで後端から消しゴム９４が出没する。
また、芯の補充は、芯パイプ２１ａの後端に固着された尾栓２３の孔２４から芯を挿入する。
【００２３】
（他の実施形態）
本発明の複式筆記具は、シャープペンシルやボールペン等の複数の筆記体を搭載し、先軸または中軸に対して後軸を着脱自在と成して、後軸を外した時に、後端から芯の補充やボールペンリフィールの交換が容易となることから、先軸と中軸を一体に形成することが可能となり、安価に提供できる利点がある。また、実施形態の複式筆記具は２本の筆記体が搭載されているが、３本以上の筆記体を搭載することも可能である。
また、後軸には、実施形態において消しゴム繰り出し装置を設けているが、例えばアンダーラインなどの筆記体、修正ペンや修正テープなどの修正具、印鑑などを搭載した様式で提供することが可能である。
【００２４】
また、芯の補充は、実施形態において、芯パイプ２１ａの後端に固着された尾栓２３の孔２４から芯を挿入するように設けられているが、筆先を上に向けた状態で芯漏れが防止される為の構造が必要である。
一例として、尾栓２３の前端に芯返しのエッジを設けることで実使用上達成できる。
二例として、芯パイプの後端に筆先が上向きの状態で芯漏れしない程度で芯の挿通孔が閉塞し、筆先が下向きの状態で芯が挿通するように開口する、自重を利用した所謂弁機構を設けることで達成できる。
三例として、芯パイプの後端に設けた弁機構を常時は閉塞させ、押した時に開口するように設けることで達成できる。
また四例として、芯パイプの開口部に後端閉塞状の小キャップを着脱自在に止着することで達成できる。
【００２５】
また、実施形態において、ボールペン筆記体８は軸継ぎ手２５の後端孔から挿入され、軸継ぎ手２５の後端内周部に形成された雌螺子部に栓体２６の雄螺子部２６ｂを螺合させることにより固定されているが、例えば、軸継ぎ手の後端側面に鈎状の窓を設け、一方栓体の側面に凸部を設けて、相互を係止することで固定することができる。また、軸継ぎ手と栓体の嵌合部に弾性変形を利用して係合する凹凸部を設けることで固定することも可能であるが、この場合、ボールペンの筆記先端部に強い筆圧が掛かっても栓体から軸継ぎ手が離脱しないことが必要となるので固定手段としては得策とは言えない。
【図面の簡単な説明】
【００２６】
【図１】本発明の第１の実施形態である複式筆記具の全体を示す縦断面図で、一部非断面となっている。
【図２】図１の後半部を拡大した断面図である。
【図３】円筒カムと中軸の係止状態を示した説明図である。
【図４】円筒カムと中軸の係止状態に於ける他の実施形態を示した説明図である。
【図５】図４に於ける要部の断面図である。
【図６】本発明の第２の実施形態である複式筆記具の全体を示す縦断面図で、一部非断面となっている。
【符号の説明】
【００２７】
１        中軸
１ａ      中軸
２        ガイド筒
３        先軸
３ａ      内段部
４        後軸
５        円筒カム
６ａ      摺動コマ
６ｂ      摺動コマ
７        シャープペンシル筆記体
８        ボールペン筆記体
９ａ      案内溝
９ｂ      案内溝
１０      筒部
１１      ノックスプリング
１２      係合溝
１３      係合部
１４      カム斜面
１５      切欠
１６      仕切り部
１７      突起
１８      縦溝
１９      周溝
２０ａ    突起
２０ｂ    突起
２１ａ    芯パイプ
２１ｂ    受けパイプ
２２ａ    フランジ部
２２ｂ    フランジ部
２３      尾栓
２４      孔
２５      軸継ぎ手
２６      栓体
２６ａ    通気孔
２６ｂ    雄螺子部
２６ｃ    係合孔
２６ｄ    摘み部
２７      段部
２８      継ぎ手
２９ａ    リターンスプリング
２９ｂ    リターンスプリング
３０      段部
３１ａ    孔
３１ｂ    孔
３２      内筒
３２ａ    後端部
３３      筒部
３４      螺旋溝
３５      係止溝
３６      段部
３７      溝
３７ａ    リブ
３８      内孔
３８ａ    溝
３９      突条
４０      段部
４０ａ    段部
４１      軸部
４２      係止部
４３      スリット
４３ａ    段部
４４      クリップ
４５      スライダー
４６      筒部
４６ａ    挟持片
４７      突起
４８      段部
４９      後端部
５０      係止突起
５１      消しゴム
６０      傾斜面
６１      巾狭部
６２      巾広溝
６３      巾狭溝
６４ａ    後壁
６４ｂ    傾斜面
６４ｃ    後壁
６５      前壁
７０      ガイド溝
７１      周溝
７２      後壁
７３      傾斜面
８０      後軸
８１      天冠部
８２      段部
８３      突条
８４      スリット
８５      突起
８６      溝
８７      円筒カム
８８      後端部
８９      溝
９０      スライダー
９１      弾性片
９２      操作釦
９３      係合突起
９４      消しゴム
【図１】
2006076168.tif 000003
【図２】
2006076168.tif 000004
【図３】
2006076168.tif 000005
【図４】
2006076168.tif 000006
【図５】
2006076168.tif 000007
【図６】
2006076168.tif 000008